(57)【要約】【課題】複写シートと被複写シートと複写層を備えた冊子であって、複写シートに文字などを記入する際に、下敷き等の挿入を必要としない冊子を提供することである。【解決手段】表面に記載欄を備えた複写シート６と、その下に配置された被複写シート７とを１組の複写セットとし、上記複写シートと被複写シートとの対向面のいずれか一方に感圧式複写層５を設け、上記複写セットを複数組綴じて冊子状とし、１組の複写セットを１ページとして開いた状態において、綴じ部８を境にして表紙側に位置するページに複写シートの表面が位置し、反対側ページに被複写シートの裏面が位置する構成にするとともに、上記複写セットから上記感圧式複写層を設けた方のシートを分離可能とした。【選択図】　図２
2004001259.tif 000002
【特許請求の範囲】
【請求項１】
表面に記載欄を備えた複写シートと、その下に配置された被複写シートとを１組の複写セットとし、上記複写シートと被複写シートとの対向面のいずれか一方に感圧式複写層を設け、上記複写セットを複数組綴じて冊子状とし、１組の複写セットを１ページとして開いた状態において、綴じ部を境にして表紙側に位置するページに複写シートの表面が位置し、反対側ページに被複写シートの裏面が位置する構成にするとともに、上記複写セットから上記感圧式複写層を設けた方のシートを分離可能とした複写層を備えた冊子。
【請求項２】
裏表紙を複写セットで構成するとともに、裏表紙の内側に複写シートの表面が位置する構成にした請求項１に記載の複写層を備えた冊子。
【請求項３】
表面に、記載欄を設けた複写シートと、その下に配置た被複写シートとを１組の複写セットとし、上記複写シートと被複写シートとの対向面のいずれか一方に感圧式複写層を設け、上記複写セットを複数組綴じた冊子であって、１組の複写セットを１ページとして開いた状態において、綴じ部を境にして表紙側に位置するページに複写シートの表面が位置し、反対側ページに被複写シートの裏面が位置する構成にするとともに、上記複写セットから上記感圧式複写層を設けた方のシートを分離可能とし、さらに、複写シート表面の記載欄には、療養やトレーニングなどの指導内容を記入する指導内容記入部を備え、上記被複写シートの裏面には、上記指導内容に関連した指導内容関連情報を表示した複写層を備えた指導用冊子。
【発明の詳細な説明】
【０００１】
【発明の属する技術分野】
この発明は、感圧式複写層を備えた冊子と、これを利用した指導用冊子に関する。
【０００２】
【従来の技術】
従来から、領収証を作成する際に、その控えを簡単に残せるようにした図５に示す複写式の領収証があった。これは、表紙１と裏表紙２との間に、複写シート３と被複写シート４とを交互に重ねて綴じたものである。
複写シート３は、領収証の控えとなるシートで、表面に領収証を渡す相手の名前を記入する名前欄３ａ、領収金額を記入する金額欄３ｂ、日付欄３ｃを備え、上記各欄に対応する部分のシート裏面には、複写のためのカーボン層５を備えている。
【０００３】
そこで、複写シート３の表面から、ボールペンなどで、名前や、金額、日付を記入すると、その下の被複写シート４に、カーボン層５が転写して、図６に示すように、複写シート３に記入したのと同じ文字が被複写シート４に複写される。なお、図６に示すように、被複写シート４には、切り取り線Ｌ１を設けている。この切り取り線Ｌ１によって、被複写シート４を切り離し、領収証として、相手に渡すことができる。このように、１回、名前や金額などを記入すれば、領収証とその控えが同時に作成されることになる。
【０００４】
上記の複写式領収証は、複写シート３と被複写シート４とが交互に重ねられているため、一番上の複写シート３に文字を記入する際には、その筆圧が、下の複写シート３に作用しないようにしなければならない。そのため、文字を記入する複写シート３のすぐ下の被複写シート４とその下の複写シート３との間に、厚紙やプラスチック製の下敷きなどを挟み込んで用いていた。
【０００５】
【発明が解決しようとする課題】
上記のように、複写シート３に文字を記入する際には、その複写シート３に対応する被複写シート４の下に、必ず下敷きを入れなければならない。このように、領収証を作成するたびに下敷きの位置をずらして挿入しなければならないのは面倒であった。もしも、下敷きの挿入位置を間違えてしまうと、同じ領収証が２枚複写されてしまったり、文字が下敷きに複写されてしまったりするようなこともあった。
この発明は、複写シートと被複写シートと複写層とを備えた冊子であって、複写シートに文字などを記入する際に、下敷き等の挿入を必要としない冊子を提供することである。
【０００６】
【課題を解決するための手段】
第１の発明は、表面に記載欄を備えた複写シートと、その下に配置された被複写シートとを１組の複写セットとし、上記複写シートと被複写シートとの対向面のいずれか一方に感圧式複写層を設け、上記複写セットを複数組綴じて冊子状とし、１組の複写セットを１ページとして開いた状態において、綴じ部を境にして表紙側に位置するページに複写シートの表面が位置し、反対側ページに被複写シートの裏面が位置する構成にするとともに、上記複写セットから上記感圧式複写層を設けた方のシートを分離可能とした点に特徴を有する。
【０００７】
第２の発明は、裏表紙を複写セットで構成するとともに、裏表紙の内側に複写シートの表面が位置する構成にした点に特徴を有する。
【０００８】
第３の発明の複写層を備えた指導用冊子は、表面に、記載欄を設けた複写シートと、その下に配置た被複写シートとを１組の複写セットとし、上記複写シートと被複写シートとの対向面のいずれか一方に感圧式複写層を設け、上記複写セットを複数組綴じた冊子であって、１組の複写セットを１ページとして開いた状態において、綴じ部を境にして表紙側に位置するページに複写シートの表面が位置し、反対側ページに被複写シートの裏面が位置する構成にするとともに、上記複写セットから上記感圧式複写層を設けた方のシートを分離可能とし、さらに、複写シート表面の記載欄には、療養やトレーニングなどの指導内容を記入する指導内容記入部を備え、上記被複写シートの裏面には、上記指導内容に関連した指導内容関連情報を表示した点に特徴を有する。
【０００９】
【発明の実施の形態】
図１〜図３を用いて、第１実施例を説明する。
第１実施例は、複写式領収証の束であるが、表紙１と裏表紙２との間に、複写シート６と被複写シート７とを１組とした複写セットを複数綴じ込んでいる。そして、表紙１を開いた状態で、綴じ部８の右側には、被複写シート７の裏面が表れ、その下に複写シート６の裏面が有る。そして、この複写シート６の裏面には、カーボン層５を設けている。このカーボン層５が、この発明の感圧式複写層である。また、上記領収証の束が、この発明の冊子である。
【００１０】
複写シート６に文字を記入する際には、被複写シート７と複写シート６の組を１ページとして開き、図２の状態にする。綴じ部８の左側、すなわち表紙側の一番上には、複写シート６の表面が表れ、その下には、被複写シート７がある。複写シート６の表面には、図５に示す従来の領収証と同様に、名前と、領収金額などを記入する欄を設けている。また、複写シート６には、切り取り線Ｌ２を設けて、複写シート６を簡単に切り取ることができるようにしている。図２の状態で、綴じ部８の左側の複写シート６に文字を記入すると、その筆圧によって、複写シート６の裏面に設けたカーボン層５が、その下の被複写シート７に転写して文字が複写される。このようにして、２枚のシート６，７に必要事項が記入されたら、複写シート６を上記切取線Ｌ２で切り取って、それを支払い者へ領収証として渡し、被複写シート７を控えとして取っておくことができる。
【００１１】
次に、新たな領収証を作成する際には、表紙１側に残された控えの上に、綴じ部８の右側から１組の複写セットをめくって表紙側に移動させ、再び図２に示す状態にしてから、複写シート６に金額などを記入する。複写シート６の下にある被複写シート７に、複写シート６に記入した文字が複写される。
このとき、文字が複写された被複写シート７と表紙１との間には、すでに、領収証としての複写シート６が切り取られた、控えとしての被複写シート７のみが残っている。
【００１２】
これらの被複写シート７は、カーボン層５のような複写層を備えていないので、一番上の複写シート６に文字を記入する筆圧が強くても、控えとして残された被複写シート７に、新たな文字などが複写されることはない。従って、複写シート６に記入する際に、従来のように、下敷きなどを挿入しなくても、余計な文字が複写されてしまうことはない。つまり、下敷きを挿入する手間が省ける。
【００１３】
上記第１実施例では、複写シート６の裏面に複写層であるカーボン層５を備えた冊子の例を説明したが、複写層は、これに限らない。例えば、被複写シートの表面に、感圧式発色層を複写層として設けても、上記と同様の冊子を構成することができる。上記感圧式発色層としては、例えば、圧力によって破壊されたときに色剤がにじみ出すようにしたマイクロカプセルのコーティングなどが考えられる。
このような、被複写シートに重ねた複写層に文字などを記入すれば、その筆圧で、上記マイクロカプセルが破壊されて、被複写シートに文字が複写されることになる。ただし、被複写シートに複写層である発色層を設けた場合には、複写済みの被複写シートを冊子から切り離して、複写シートを残すようにしなければならない。
【００１４】
つまり、複写層を備えているのが、複写シート、被複写シートのどちらの場合でも、複写後は、複写層を備えた方のシートを冊子から切り離す必要がある。このようにすれば、新たに複写シートへ記入するときには、その複写シートの下には、複写層を備えていない複写シートまたは被複写シートのみが残されているので、筆圧が強くても、余計な文字などが複写される心配はない。したがって、下敷きなどを挿入する必要が無い。
【００１５】
図３、図４に示す第２実施例は、複写層を備えた指導用冊子である。ここでは、指導用冊子として、糖尿病患者に対する療養計画書の例を説明する。そして、この療養計画書は、この療養を行う糖尿病患者が持つものである。
この実施例の療養計画書は、図３のように、表紙１と裏表紙２との間に、複写シート１０と被複写シート１１とからなる複写セットを複数組綴じたものである。ただし、表紙１および裏表紙２も複写セットで構成されている。
また、上記複写シート１０の裏面に、感圧式複写層として転写層１２を備えている。この転写層１２は、筆圧によって、被複写シート１１に転写されるものである。
さらに、被複写シート１１の１辺に接着部１３を介して複写シート１０を接着しているが、上記接着部１３の接着力は弱く、複写シート１０は簡単に取り外すことができる。そして、複写シート１０を剥がした後も、上記接着部１３が他のシートと接着するようなことがないようにしている。
【００１６】
この冊子の表紙１を開くと、図４のように、表紙の裏側を被複写シート１１の表面とし、その上に複写シート１０が貼付されている状態が現れる。複写シート１０の表面には、患者に対して与える注意事項など療養生活に対する指導内容を記入する指導内容記入欄９が印刷されている。そして、この複写シート１０に印刷された欄と同様の欄、あるいは、対応する欄が、被複写シート１１にも印刷されている。この指導内容記入欄９が、この発明の指導内容意記入部である。
【００１７】
一方、複写セットを冊子状に綴じた綴じ部１４を境にして右側、つまり表紙と反対側には、別の複写セットの、被複写シート１１の裏面が表れているが、この裏面には、糖尿病に関する情報や、糖尿病患者に対する一般的な注意事項など、糖尿病関連情報が、指導内容関連情報として印刷されている。この綴じ部１４の右側の被複写シート１１と、それに対応する複写シート１０とをめくると、図４と同様に、新たな複写シート１０が、表紙側に表れ、右側のページには、糖尿病関連情報が表示される。
そして、最終ページを開くと裏表紙２側も、複写セットで構成され、綴じ部１４の左右両側に複写シート１０の表面が表れる。ここでは、裏表紙２を複写セットで構成して、指導内容の記入可能ページを増やしているが、裏表紙２は、複写セットとしなくてもかまわない。
【００１８】
このような、療養計画書の使い方を以下に説明する。
まず、表紙１側からページを開き、図４に示す状態とし、医師は、表紙側の複写シート１０に必要事項を記入して、療養計画を作成する。すると、その文字が、転写層１２によって被複写シート１１に複写され、医師が作成した療養計画が、複写シート１０と被複写シート１１の両方に記載されたことになる。
医師は、療養計画を記入したら、上記複写シート１０を剥がして、その患者のカルテに貼付して保管し、患者は、被複写シート１１に計画が記入された冊子を持って帰る。
従来なら、医師がカルテに記入しながら、患者に対して説明した注意事項や療養計画を、患者が自分でメモしなければならなかった。患者にとっては、メモを取る手間が掛かるだけでなく、聞き違いや、書き違いなどの心配もあった。
【００１９】
また、医師が作成した療養計画に従って所定期間生活を送って、再来院したときには、次に、表紙に近い複写シート１０を表紙１側に開いて、そこに医師が新たな療養計画を記入する。医師は、記入済みの複写シート１０を剥がし、カルテに貼付する。このように、記入後の複写シート１０は取り外されるので、新たに記入すべき複写シートとして表紙に最も近い複写シート１０を表紙１側に開いたとき、表紙１側には、記入すべき複写シート１０以外には、複写シートが無い。つまり、転写層１２がないので、複写済みの被複写シート１１に、新たな文字が複写されてしまうことがない。
【００２０】
つまり、従来例の複写式領収証のように、下敷きなどを挿入しなくても、必要事項を確実に複写することができる。また、この実施例の療養計画書を用いれば、患者は、医師が作成した療養計画を１冊のノートにして保管することができ、医師の指導内容を確実に把握することができる。さらに、常に、自分の健康状態の経過を確認することができる。
なお、この第２実施例では、糖尿病患者のための療養計画書を説明しているが、糖尿病以外の療養計画書にも応用できる。また、病気療養の計画書以外にも、スポーツクラブなどの指導用冊子にも応用できる。この場合にも、指導者が生徒のトレーニング計画を作成して、複写シートに記入し、切り取ったものを保管でき、生徒は、被複写シートが残された冊子を指導書として利用できる。
【００２１】
さらに、上記第２実施例のように、複写層を備えた冊子を指導書として利用する場合にも、複写シート１０に、複写層を設けないで、被複写シート１１の表面に感圧式発色層などの複写層を設けてもよい。ただし、その場合には、医師や指導者などが指導内容を記入したら、複写シート１０ではなく、被複写シート１１を取り外すようにしなければならない。
【００２２】
【発明の効果】
第１〜第３の発明によれば、被複写シートと複写シートとの間に、下敷きなどを入れなくても、必要なシートにだけ、複写をすることができる。従来のように、記入の度に、位置を変えて下敷きを挿入する手間が省けるし、挿入位置を間違えて、不必要な複写を行ってしまうようなことが無くなる。
また、第２の発明では、裏表紙も利用しているので、全体の記載可能な面を増やすことができる。
特に、第３の発明の指導用冊子によれば、指導者と、指導対象者とが、簡単に、共通の情報を持つことができる。そのため、指導者の指導内容が、指導対象者に正確に伝わり、指導の効果が高まることを期待できる。
【図面の簡単な説明】
【図１】第１実施例の冊子の斜視図で、表紙だけを開いた状態を表した図である。
【図２】第１実施例の冊子の斜視図で、文字などを記入する際の状態を表している。
【図３】第２実施例の指導用冊子の外観を表した図である。
【図４】第２実施例の指導用冊子を開いた状態を表した図である。
【図５】従来例の複写式の領収証を表した図で、複写シート表面を出した状態である。
【図６】従来例の複写式の領収証を表した図で、複写シートをめくった状態である。
【符号の説明】
１　　　表紙
２　　　裏表紙
５　　　カーボン層
６　　　複写シート
７　　　被複写シート
８　　　綴じ部
９　　　指導内容記入部
１０　　複写シート
１１　　被複写シート
１２　　転写層
１３　　接着部
１４　　綴じ部
【図１】
2004001259.tif 000003
【図２】
2004001259.tif 000004
【図３】
2004001259.tif 000005
【図４】
2004001259.tif 000006
【図５】
2004001259.tif 000007
【図６】
2004001259.tif 000008